(57)【要約】【課題】  デジタルカメラ等の撮影装置を再生モードに切り替えた際に、ユーザが閲覧を所望する画像を表示できるようにする。【解決手段】  デジタルカメラ１において再生モードの設定指示がなされた際に、最後に取得した画像の撮影日時から現在までの経過時間を取得する。経過時間が所定のしきい値以上の場合には、メモリカード１０に記録されている画像のサムネイル画像の一覧をＬＣＤ１６に表示する。経過時間が所定のしきい値未満の場合には、最後に取得した画像をＬＣＤ１６に表示する。【選択図】          図１
2006173833.tif 000002
【特許請求の範囲】
【請求項１】
被写体を撮影して該被写体を表す画像を取得する撮像部と、
該撮像部が取得した画像および該画像の撮影日時を表す撮影日時情報を記録する記録手段と、
前記画像を含む各種表示を行う表示手段と、
撮影モードおよび再生モードの設定指示を含む各種指示の入力を受け付ける入力手段と、
前記再生モードの設定指示がなされた場合に、前記撮影日時情報を参照して、最後に画像を取得してからの経過時間を所定のしきい値と比較し、該経過時間が該所定のしきい値以上の場合には前記記録手段に記録されている画像についてのサムネイル画像の一覧を前記表示手段に表示し、前記経過時間が前記所定のしきい値未満の場合には最後に取得した画像を前記表示手段に表示する表示制御手段とを備えたことを特徴とする撮影装置。
【請求項２】
前記表示制御手段は、最後に取得された画像、最初に取得された画像または最後に再生された画像を含むように、前記サムネイル画像の一覧を表示する手段であることを特徴とする請求項１記載の撮影装置。
【請求項３】
被写体を撮影して該被写体を表す画像を取得する撮像部と、
該撮像部が取得した画像および該画像の閲覧時間を累積した累積閲覧時間を表す累積閲覧時間情報を記録する記録手段と、
前記画像を含む各種表示を行う表示手段と、
撮影モードおよび再生モードの設定指示を含む各種指示の入力を受け付ける入力手段と、
前記再生モードの設定指示がなされた場合に、前記累積閲覧時間情報を参照して、最も累積閲覧時間が長い画像を前記表示手段に表示する表示制御手段とを備えたことを特徴とする撮影装置。
【請求項４】
前記表示制御手段は、前記表示手段に表示された画像の切り替え表示がなされた場合、前記累積閲覧時間情報を参照して、前記累積閲覧時間が長い順に画像を切り替えて前記表示手段に表示する手段であることを特徴とする請求項３記載の撮影装置。
【請求項５】
前記表示制御手段は、サムネイル画像の一覧の表示指示がなされた場合、前記累積閲覧時間情報を参照して、前記累積閲覧時間が長い画像から順にサムネイル画像の一覧に含めて該サムネイル画像の一覧を表示する手段であることを特徴とする請求項３または４記載の撮影装置。
【請求項６】
被写体を撮影して該被写体を表す画像を取得する撮像部と、
該撮像部が取得した画像および該画像の撮影日時を表す撮影日時情報を記録する記録手段と、
前記画像を含む各種表示を行う表示手段と、
撮影モードおよび再生モードの設定指示を含む各種指示の入力を受け付ける入力手段とを備えた撮影装置における画像表示方法において、
前記再生モードの設定指示がなされた場合に、前記撮影日時情報を参照して、最後に画像を取得してからの経過時間を所定のしきい値と比較し、
前記経過時間が前記所定のしきい値以上の場合には前記記録手段に記録されている画像についてのサムネイル画像の一覧を前記表示手段に表示し、
前記経過時間が前記所定のしきい値未満の場合には最後に取得した画像を前記表示手段に表示することを特徴とする画像表示方法。
【請求項７】
被写体を撮影して該被写体を表す画像を取得する撮像部と、
該撮像部が取得した画像および該画像の閲覧時間を累積した累積閲覧時間を表す累積閲覧時間情報を記録する記録手段と、
前記画像を含む各種表示を行う表示手段と、
撮影モードおよび再生モードの設定指示を含む各種指示の入力を受け付ける入力手段とを備えた撮影装置における画像表示方法において、
前記再生モードの設定指示がなされた場合に、前記累積閲覧時間情報を参照して、最も累積閲覧時間が長い画像を前記表示手段に表示することを特徴とする画像表示方法。
【請求項８】
被写体を撮影して該被写体を表す画像を取得する撮像部と、
該撮像部が取得した画像および該画像の撮影日時を表す撮影日時情報を記録する記録手段と、
前記画像を含む各種表示を行う表示手段と、
撮影モードおよび再生モードの設定指示を含む各種指示の入力を受け付ける入力手段とを備えた撮影装置における画像表示方法をコンピュータに実行させるためのプログラムにおいて、
前記再生モードの設定指示がなされた場合に、前記撮影日時情報を参照して、最後に画像を取得してからの経過時間を所定のしきい値と比較する手順と、
前記経過時間が前記所定のしきい値以上の場合には前記記録手段に記録されている画像についてのサムネイル画像の一覧を前記表示手段に表示する手順と、
前記経過時間が前記所定のしきい値未満の場合には最後に取得した画像を前記表示手段に表示する手順とを有することを特徴とするプログラム。
【請求項９】
被写体を撮影して該被写体を表す画像を取得する撮像部と、
該撮像部が取得した画像および該画像の閲覧時間を累積した累積閲覧時間を表す累積閲覧時間情報を記録する記録手段と、
前記画像を含む各種表示を行う表示手段と、
撮影モードおよび再生モードの設定指示を含む各種指示の入力を受け付ける入力手段とを備えた撮影装置における画像表示方法をコンピュータに実行させるためのプログラムにおいて、
前記再生モードの設定指示がなされた場合に、前記累積閲覧時間情報を参照して、最も累積閲覧時間が長い画像を前記表示手段に表示する手順を有することを特徴とするプログラム。
【発明の詳細な説明】
【技術分野】
【０００１】
本発明は、デジタルカメラ等の撮影により画像を取得する撮影装置および撮影装置において取得された画像を表示する画像表示方法並びに画像表示方法をコンピュータに実行させるためのプログラムに関するものである。
【背景技術】
【０００２】
従来のデジタルカメラは液晶モニタ等の表示手段を備え、カメラを撮影モードに設定することにより撮影により画像を取得し、カメラを再生モードに設定することにより取得した画像を表示手段に表示して閲覧することができる。なお、デジタルカメラのモードの設定の指示等は、十字ボタンや各種設定ボタンにより行われる。また、タッチパネルを用いてユーザによる操作を受け付けるデジタルカメラも提案されている（特許文献１参照）。
【０００３】
ところで、デジタルカメラにおいて再生モードに設定した際に表示される画像は、最後に撮影された画像、すなわち撮影時間が最も新しい画像である。このため、ユーザはカメラを再生モードに設定すれば、最も新しい画像をデジタルカメラにおいて表示して閲覧することができる。
【特許文献１】特開２００４−３２３４６号公報
【発明の開示】
【発明が解決しようとする課題】
【０００４】
しかしながら、最後に撮影された画像が必ずしもユーザが閲覧を所望する画像でない場合がある。
【０００５】
本発明は上記事情に鑑みなされたものであり、デジタルカメラ等の撮影装置を再生モードに切り替えた際に、ユーザが閲覧を所望する画像を表示できるようにすることを目的とする。
【課題を解決するための手段】
【０００６】
最後に画像を取得してからそれほど時間が経過していない場合に再生モードに設定した場合には、同じ場所で連続して撮影を行っている場合が多いため、最後に取得した画像を再生することが望ましい。一方、最後に画像を取得してからある程度時間が経過した場合に再生モードに設定した場合には、最後に取得した画像よりもどのような画像がデジタルカメラに記録されているのかを知りたいという要望が多い。本発明はこの点に鑑みなされたものである。
【０００７】
すなわち、本発明による第１の撮影装置は、被写体を撮影して該被写体を表す画像を取得する撮像部と、
該撮像部が取得した画像および該画像の撮影日時を表す撮影日時情報を記録する記録手段と、
前記画像を含む各種表示を行う表示手段と、
撮影モードおよび再生モードの設定指示を含む各種指示の入力を受け付ける入力手段と、
前記再生モードの設定指示がなされた場合に、前記撮影日時情報を参照して、最後に画像を取得してからの経過時間を所定のしきい値と比較し、該経過時間が前記所定のしきい値以上の場合には前記記録手段に記録されている画像についてのサムネイル画像の一覧を前記表示手段に表示し、前記経過時間が前記所定のしきい値未満の場合には最後に取得した画像を前記表示手段に表示する表示制御手段とを備えたことを特徴とするものである。
【０００８】
なお、本発明による第１の撮影装置においては、前記表示制御手段を、最後に取得された画像、最初に取得された画像または最後に再生された画像を含むように、前記サムネイル画像の一覧を表示する手段としてもよい。
【０００９】
本発明による第２の撮影装置は、被写体を撮影して該被写体を表す画像を取得する撮像部と、
該撮像部が取得した画像および該画像の閲覧時間を累積した累積閲覧時間を表す累積閲覧時間情報を記録する記録手段と、
前記画像を含む各種表示を行う表示手段と、
撮影モードおよび再生モードの設定指示を含む各種指示の入力を受け付ける入力手段と、
前記再生モードの設定指示がなされた場合に、前記累積閲覧時間情報を参照して、最も累積閲覧時間が長い画像を前記表示手段に表示する表示制御手段とを備えたことを特徴とするものである。
【００１０】
なお、本発明による第２の撮影装置においては、前記表示制御手段を、前記表示手段に表示された画像の切り替え表示がなされた場合、前記累積閲覧時間情報を参照して、前記累積閲覧時間が長い順に画像を切り替えて前記表示手段に表示する手段としてもよい。
【００１１】
また、本発明による第２の撮影装置においては、前記表示制御手段を、サムネイル画像の一覧の表示指示がなされた場合、前記累積閲覧時間情報を参照して、前記累積閲覧時間が長い画像から順にサムネイル画像の一覧に含めて該サムネイル画像の一覧を表示する手段としてもよい。
【００１２】
本発明による第１の画像表示方法は、被写体を撮影して該被写体を表す画像を取得する撮像部と、
該撮像部が取得した画像および該画像の撮影日時を表す撮影日時情報を記録する記録手段と、
前記画像を含む各種表示を行う表示手段と、
撮影モードおよび再生モードの設定指示を含む各種指示の入力を受け付ける入力手段とを備えた撮影装置における画像表示方法において、
前記再生モードの設定指示がなされた場合に、前記撮影日時情報を参照して、最後に画像を取得してからの経過時間を所定のしきい値と比較し、
前記経過時間が前記所定のしきい値以上の場合には前記記録手段に記録されている画像についてのサムネイル画像の一覧を前記表示手段に表示し、
前記経過時間が前記所定のしきい値未満の場合には最後に取得した画像を前記表示手段に表示することを特徴とするものである。
【００１３】
本発明による第２の画像表示方法は、被写体を撮影して該被写体を表す画像を取得する撮像部と、
該撮像部が取得した画像および該画像の閲覧時間を累積した累積閲覧時間を表す累積閲覧時間情報を記録する記録手段と、
前記画像を含む各種表示を行う表示手段と、
撮影モードおよび再生モードの設定指示を含む各種指示の入力を受け付ける入力手段とを備えた撮影装置における画像表示方法において、
前記再生モードの設定指示がなされた場合に、前記累積閲覧時間情報を参照して、最も累積閲覧時間が長い画像を前記表示手段に表示することを特徴とするものである。
【００１４】
なお、本発明による第１および第２の撮影装置における画像表示方法をコンピュータに実行させるためのプログラムとして提供してもよい。
【発明の効果】
【００１５】
本発明の第１の撮影装置および画像表示方法によれば、再生モードの設定指示がなされると、撮影日時情報が参照されて、最後に画像を取得してからの経過時間が所定のしきい値と比較される。そして、経過時間が所定のしきい値以上の場合には、記録手段に記録されている画像についてのサムネイル画像の一覧が表示され、経過時間が所定のしきい値未満の場合には、最後に取得した画像が表示される。このため、最後に撮影を行ってからの経過時間に応じて、再生モードに設定した際に、ユーザが所望する態様で画像を表示することができる。
【００１６】
また、最後に取得された画像、最初に取得された画像または最後に再生された画像を含むようにサムネイル画像の一覧を表示することにより、ユーザの様々な要望に対応することができる。
【００１７】
本発明の第２の撮影装置および表示方法によれば、画像の閲覧時間を累積した累積閲覧時間を表す累積閲覧時間情報が記録され、再生モードの設定指示がなされた場合に、累積閲覧時間情報が参照されて、最も累積閲覧時間が長い画像が表示される。ここで、累積閲覧時間が長いと言うことは、自分でその画像を見たり、他人に見せたりしていることが多いということであるから、撮影装置のユーザにとって重要な画像であることが多い。このため、再生モードに設定した際に累積閲覧時間が最も長い画像を表示することにより、重要な画像を見たいというユーザの要望に応えた画像を表示することができる。
【００１８】
また、累積閲覧時間が長い順に画像を切り替えて表示することにより、ユーザにとって重要な順序で画像を表示することができる。
【００１９】
また、サムネイル画像の一覧の表示指示がなされた場合には、累積閲覧時間情報を参照して累積閲覧時間が長い画像から順にサムネイル画像の一覧に含めてサムネイル画像の一覧を表示することにより、累積閲覧時間が長い、すなわちユーザにとって重要な画像をサムネイル画像の一覧に含めることができる。
【発明を実施するための最良の形態】
【００２０】
以下、図面を参照して本発明の実施形態について説明する。図１は本発明の第１の実施形態によるデジタルカメラの構成を示す概略ブロック図である。
【００２１】
図１に示すように、デジタルカメラ１には、被写体像を受光面に結像させて光電変換し、画像データ（静止画像データおよび動画像データを含む）として出力する、撮影レンズ、ＣＣＤおよびシャッタ等を備えた撮像部２０と、デジタルカメラ１全体の制御を行うとともに画像データのサンプリングタイミング制御、画像データの記録制御および表示制御等の各種制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ１に対して行うための入力部３２と、入力部３２の設定情報を入力するインターフェースであるＩ／Ｏ３４とが設けられている。
【００２２】
なお、入力部３２には、画像データのメモリカード１０への記録画素数および記録フォーマットを設定したり、撮影モードおよび再生モード等のデジタルカメラ１の動作モードを設定したり、再生モード時にサムネイル画像の一覧および画像の拡大表示を切り替えたりするためのモード切り替えダイヤル、十字キー、設定スイッチおよびシャッタボタン等の各種スイッチが設けられている。
【００２３】
また、画像データには、撮影日時を表す撮影日時情報が、例えばタグに記述されることにより付与される。
【００２４】
また、デジタルカメラ１には、画像データをＪＰＥＧやモーションＪＰＥＧに代表される手法で圧縮したり、圧縮した画像データを解凍する圧縮解凍部３６と、メモリカードスロット３８に着脱可能に装着されたメモリカード１０に画像データを記録したり読み出したりするために画像データを変換するカードインターフェース（Ｉ／Ｆ）４２とが設けられている。
【００２５】
また、デジタルカメラ１には、後述する表示制御プログラム等のＣＰＵ２２を動作させるプログラムや各種定数が記録されているＲＯＭおよびＣＰＵ２２が処理を実行する際の作業領域となるＲＡＭにより構成されるシステムメモリ４４と、デジタルカメラ１の各種設定定数を電源遮断後も記録し続けることが可能な書き替え可能な不揮発性メモリ４６と、タイマ撮影時に駆動されるタイマ４８と、現在の時刻を刻むカレンダ時計５０と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０も設けられている。
【００２６】
そしてＣＰＵ２２がシステムメモリ４４から表示制御プログラムを読み出して実行することにより、ＣＰＵ２２が表示制御手段として機能する。なお、ＣＰＵ２２は、撮影モードにおいて、ユーザが撮影を行って画像を取得した場合、最後に取得した画像の撮影日時を表す撮影日時情報を不揮発性メモリ４６に記録する。
【００２７】
また、撮像部２０により取得された画像データは、信号処理部２４により画像処理が施された後、Ａ／Ｄ変換部２６によりデジタルの画像データに変換され、さらにユーザにより設定された記録画像数および記録フォーマットにて圧縮解凍部３６において圧縮されてメモリカード１０に記録される。
【００２８】
次いで、第１の実施形態において行われる処理について説明する。図２は第１の実施形態において行われる処理を示すフローチャートである。なお、ユーザが撮影を行うことにより複数の画像データが取得されてメモリカード１０に記録されているものとする。ユーザが入力部３２を用いてデジタルカメラ１を再生モードに設定することによりＣＰＵ２２が表示制御プログラムによる処理を開始する。
【００２９】
まず、ＣＰＵ２２が不揮発性メモリ４６から最後に取得した画像の撮影日時情報を取得し（ステップＳＴ１）、最後に取得した画像の撮影日時から現在までの経過時間を取得する（ステップＳＴ２）。そして、経過時間が所定のしきい値Ｔｈ１（例えば２時間等）以上であるか否かを判定し（ステップＳＴ３）、ステップＳＴ３が肯定されると、メモリカード１０に記録されている画像のサムネイル画像の一覧を生成し、これをＬＣＤ１６に表示し（ステップＳＴ４）、処理を終了する。一方、ステップＳＴ３が否定されると、最後に取得した画像をＬＣＤ１６に表示し（ステップＳＴ５）、処理を終了する。
【００３０】
図３はＬＣＤ１６に表示されたサムネイル画像の一覧を示す図である。サムネイル画像の一覧には、図３（ａ）に示すように最後に取得された画像ＳＬ１を含んでいてもよく、図３（ｂ）最初に取得された画像（すなわち撮影時間が最も古い画像）ＳＳ１を含んでいてもよい。ここで、サムネイル画像の一覧においては、左上隅に表示される画像が最も撮影日時が古く、右下隅に表示される画像が最も撮影日時が新しいものとなる。したがって、前者の場合、最後に取得された画像ＳＬ１よりも撮影日時が前の画像がサムネイル画像の一覧に含められ、後者の場合、最初に取得された画像ＳＳ１よりも撮影日時が後の画像がサムネイル画像の一覧に含められる。さらに、図３（ｃ）に示すように前回再生モードを設定した際に最後に再生した画像ＳＰ１を含んでいてもよい。図３（ｃ）においては、最後に再生した画像ＳＰ１よりも撮影日時が後の画像がサムネイル画像の一覧に含められる。
【００３１】
なお、サムネイル画像の一覧を表示した状態において、ページの切り替え指示等、画面をスクロールすることにより、メモリカード１０に記録されたすべての画像についてのサムネイル画像の一覧を表示することができる。
【００３２】
図４はＬＣＤ１６に表示された最後に取得した画像を示す図である。図４に示すようにステップＳＴ３が否定された場合には最後に取得した画像ＳＬ１がＬＣＤ１６の全体に表示される。
【００３３】
なお、この状態で画像の切り替え指示を行うことにより、切り替える方向（すなわちファイル名が昇順か降順か）に応じて、最初に取得した画像または最後に取得した画像ＳＬ１の１つ前に取得した画像を順次表示することができる。
【００３４】
このように第１の実施形態においては、再生モードの設定指示がなされた場合に、最後に画像を取得してから現在までの経過時間が所定のしきい値Ｔｈ１以上か否かを判定し、この判定が肯定されるとサムネイル画像の一覧を表示し、否定されると最後に取得した画像を表示するようにしたため、最後に撮影を行ってからの経過時間に応じて、再生モードをに設定した際に、ユーザが所望する態様で画像を再生することができる。
【００３５】
また、最後に取得された画像、最初に取得された画像または最後に再生された画像を含むようにサムネイル画像の一覧を表示することにより、ユーザの様々な要望に対応することができる。
【００３６】
次いで、本発明の第２の実施形態について説明する。第２の実施形態においては、再生モードに設定された状態において、ＬＣＤ１６に表示された画像の閲覧時間を画像単位で累積した累積閲覧時間を表す累積閲覧時間情報を登録したデータベースＤＢ１を生成して不揮発性メモリ４６に記録し、このデータベースＤＢ１を参照して再生モードが設定された際の画像の表示の態様を制御するようにしたものである。
【００３７】
図５は累積閲覧時間情報を登録したデータベースＤＢ１の構成を示す図である。図５に示すように、データベースＤＢ１には、メモリカード１０に記録されている画像のファイル名と対応づけて、画像の累積閲覧時間を表す累積閲覧時間情報が登録されている。ここで、閲覧時間としては、画像がＬＣＤ１６に表示された時間とし、累積閲覧時間としては画像の表示時間を積算したものとする。
【００３８】
なお、再生モードを設定した場合、例えば最後に取得した画像がＬＣＤ１６に表示されるが、表示された後に画像を閲覧することなく、次の画像に切り替え表示する場合がある。このため、再生モードを設定した際に最初に表示された画像については、表示時間をそのまま累積すると、閲覧していないにも拘わらず累積閲覧時間が長くなってしまう。したがって、再生モードを設定した際に最初に表示された画像については、表示時間をそのまま閲覧時間とするのではなく、表示時間から所定時間（例えば３秒または５秒程度）を減算した時間を閲覧時間として累積するものとする。
【００３９】
次いで、第２の実施形態において行われる処理について説明する。図６は第２の実施形態において行われる処理を示すフローチャートである。なお、ユーザが撮影を行うことにより複数の画像データが取得されてメモリカード１０に記録されているものとする。ユーザが入力部３２を用いてデジタルカメラ１を再生モードに設定することによりＣＰＵ２２が表示制御プログラムによる処理を開始する。
【００４０】
まず、ＣＰＵ２２がデータベースＤＢ１を参照して、累積閲覧時間が最も長い画像をメモリカード１０から読み出し（ステップＳＴ１１）、ＬＣＤ１６に表示する（ステップＳＴ１２）。次いで、画像の切り替え指示がなされたか否かを判定し（ステップＳＴ１３）、ステップＳＴ１３が肯定されると、データベースＤＢ１における、表示した画像についての累積閲覧時間を更新し（ステップＳＴ１４）、累積閲覧時間が次に長い画像を表示する（ステップＳＴ１５）。
【００４１】
一方、ステップＳＴ１３が否定されると、サムネイル画像の一覧の表示指示がなされたか否かを判定し（ステップＳＴ１６）、ステップＳＴ１６が否定されるとステップＳＴ１９へ進む。ステップＳＴ１６が肯定されると、データベースＤＢ１における、表示した画像についての累積閲覧時間を更新し（ステップＳＴ１７）、累積閲覧時間が長い画像から順にサムネイル画像の一覧に含めて、サムネイル画像の一覧をＬＣＤ１６に表示する（ステップＳＴ１８）。
【００４２】
ステップＳＴ１６が否定された場合、並びにステップＳＴ１５およびステップＳＴ１８に続いて、終了指示がなされたか否かを判定し（ステップＳＴ１９）、ステップＳＴ１９が否定されるとステップＳＴ１３に戻る。ステップＳＴ１９が肯定されると処理を終了する。
【００４３】
なお、サムネイル画像の一覧を表示した状態において、ページの切り替え指示等、画面をスクロールすることにより、メモリカード１０に記録されたすべての画像についての、累積閲覧時間が長い順にソートしたサムネイル画像の一覧を表示することができる。
【００４４】
このように、第２の実施形態においては、再生モードの指示がなされた場合に、累積閲覧時間情報を参照して、最も累積閲覧時間が長い画像を表示するようにしたものである。ここで、累積閲覧時間が長いと言うことは、自分でその画像を見たり、他人に見せたりしていることが多いということであるから、デジタルカメラ１のユーザにとって重要な画像であることが多い。このため、再生モードを設定した際に累積閲覧時間が最も長い画像を表示することにより、重要な画像を見たいというユーザの要望に応えた画像を表示することができる。
【００４５】
また、累積閲覧時間が長い順に画像を切り替えて表示することにより、ユーザにとって重要な順序で画像を表示することができる。
【００４６】
また、サムネイル画像の一覧の表示指示がなされた場合には、累積閲覧時間情報を参照して累積閲覧時間が長い画像から順にサムネイル画像の一覧に含めてサムネイル画像の一覧を表示することにより、累積閲覧時間が長い、すなわちユーザにとって重要な画像をサムネイル画像の一覧に含めることができる。
【００４７】
なお、上記第２の実施形態においては、累積閲覧時間を登録したデータベースＤＢ１を生成して画像の累積閲覧時間情報を取得しているが、画像のタグに累積閲覧時間情報を記述し、画像自体から累積閲覧時間情報を取得するようにしてもよい。
【００４８】
また、上記第２の実施形態においては、データベースＤＢ１を不揮発性メモリ４６に記録しているが、メモリカード１０に記録してもよい。
【図面の簡単な説明】
【００４９】
【図１】本発明の第１の実施形態によるデジタルカメラの構成を示す概略ブロック図
【図２】第１の実施形態において行われる処理を示すフローチャート
【図３】ＬＣＤに表示されたサムネイル画像の一覧を示す図
【図４】ＬＣＤに表示された最後に取得した画像を示す図
【図５】累積閲覧時間情報を登録したデータベースＤＢ１の構成を示す図
【図６】第２の実施形態において行われる処理を示すフローチャート
【符号の説明】
【００５０】
１    デジタルカメラ
１６    ＬＣＤ
２０    撮像部
２２    ＣＰＵ
３２    入力部
４４    システムメモリ
５４    ＬＣＤ制御部
６０    バッテリ
【図１】
2006173833.tif 000003
【図２】
2006173833.tif 000004
【図３】
2006173833.tif 000005
【図４】
2006173833.tif 000006
【図５】
2006173833.tif 000007
【図６】
2006173833.tif 000008